【手続補正書】
【提出日】平成30年8月15日(2018.8.15)
【手続補正１】
【補正対象書類名】特許請求の範囲
【補正対象項目名】全文
【補正方法】変更
【補正の内容】
【特許請求の範囲】
【請求項１】
触質変換対象の情報を入力する対象情報入力部と、
上記対象情報入力部により入力された対象情報から、それぞれが触感の一要素を表したｎ個（ｎ≧２）の触質点パラメータの組み合わせを２組以上生成する触質点パラメータ生成部と、
上記触質点パラメータ生成部により生成された２組以上の触質点パラメータについて、２つの組間で上記触質点パラメータの差分値をそれぞれ計算することにより、ｎ個の触質パラメータの組み合わせを１組以上生成する触質パラメータ生成部と、
上記ｎ個の触質パラメータにより特定される固有の触覚効果を持った触質コンテンツを、上記ｎ個の触質パラメータの組み合わせに対応付けて記憶する触質コンテンツ記憶部と、
上記触質パラメータ生成部により生成された上記ｎ個の触質パラメータの組み合わせを１組以上指定して、当該指定した１組以上の組み合わせに対応する１以上の触質コンテンツを上記触質コンテンツ記憶部から抽出する触質コンテンツ抽出部とを備えたことを特徴とする触質コンテンツ生成装置。
【請求項２】
上記触質点パラメータ生成部は、上記対象情報入力部により入力された対象情報を複数に分割し、それぞれの分割区間から、情報の強度に関する触質点パラメータおよび分割区間の長さに関する触質点パラメータの少なくとも一方について、上記ｎ個の触質点パラメータを特定することにより、上記ｎ個の触質点パラメータの組み合わせを２組以上生成することを特徴とする請求項１に記載の触質コンテンツ生成装置。
【請求項３】
上記触質点パラメータ生成部は、上記対象情報入力部により入力された１種の対象情報を複数に分割し、それぞれの分割区間から、情報の強度に関する触質点パラメータおよび分割区間の長さに関する触質点パラメータを特定することにより、２個の触質点パラメータの組み合わせを２組以上生成することを特徴とする請求項１に記載の触質コンテンツ生成装置。
【請求項４】
上記触質点パラメータ生成部は、上記対象情報入力部により入力された複数種の対象情報をそれぞれ複数に分割し、上記複数種の対象情報のそれぞれの分割区間から、情報の強度に関する触質点パラメータおよび分割区間の長さに関する触質点パラメータの少なくとも一方を特定することにより、上記ｎ個の触質点パラメータの組み合わせを２組以上生成することを特徴とする請求項１に記載の触質コンテンツ生成装置。
【請求項５】
上記触質点パラメータ生成部は、上記対象情報入力部により入力された上記１種の対象情報が、時間の経過と共に振幅が変化する波形情報である場合、当該波形情報を時間軸方向に複数に分割し、それぞれの分割区間から、分割区間内の代表振幅を上記情報の強度に関する第１の触質点パラメータとして特定するとともに、上記分割区間の時間の長さを上記分割区間の長さに関する第２の触質点パラメータとして特定することにより、上記第１の触質点パラメータおよび上記第２の触質点パラメータの組み合わせを２組以上生成することを特徴とする請求項３に記載の触質コンテンツ生成装置。
【請求項６】
上記触質点パラメータ生成部は、上記対象情報入力部により入力された上記１種の対象情報が、周波数の違いに応じて強度が変化するヒストグラム情報である場合、当該ヒストグラム情報を周波数軸方向に複数に分割し、それぞれの分割区間から、分割区間内の代表強度を上記情報の強度に関する第１の触質点パラメータとして特定するとともに、上記分割区間の周波数幅を上記分割区間の長さに関する第２の触質点パラメータとして特定することにより、上記第１の触質点パラメータおよび上記第２の触質点パラメータの組み合わせを２組以上生成することを特徴とする請求項３に記載の触質コンテンツ生成装置。
【請求項７】
上記触質点パラメータ生成部は、上記対象情報入力部により入力された上記１種の対象情報が、位置または領域の違いに応じて上記強度が変化する空間分布情報である場合、当該空間分布情報を位置または領域に応じて複数に分割し、それぞれの分割区間から、分割区間内の代表強度を上記情報の強度に関する第１の触質点パラメータとして特定するとともに、上記分割区間の終始点間の長さまたは面積を上記分割区間の長さに関する第２の触質点パラメータとして特定することにより、上記第１の触質点パラメータおよび上記第２の触質点パラメータの組み合わせを２組以上生成することを特徴とする請求項３に記載の触質コンテンツ生成装置。
【請求項８】
上記触質点パラメータ生成部は、上記対象情報入力部により入力された上記１種の対象情報を分析して強度−周波数分布の周波数スペクトル情報を生成した後、当該周波数スペクトル情報を周波数軸方向に複数に分割し、それぞれの分割区間から、分割区間内の代表強度を上記情報の強度に関する第１の触質点パラメータとして特定するとともに、上記分割区間の周波数幅を上記分割区間の長さに関する第２の触質点パラメータとして特定することにより、上記第１の触質点パラメータおよび上記第２の触質点パラメータの組み合わせを２組以上生成することを特徴とする請求項３に記載の触質コンテンツ生成装置。
【請求項９】
上記触質点パラメータ生成部は、上記対象情報入力部により入力された上記１種の対象情報がテキスト情報である場合、上記テキスト情報をセンテンス毎に分割するとともに、各センテンス内を分節毎に区切り、各文節の音素数を特定し、それぞれのセンテンスから、センテンス内の代表音素数の逆数を上記情報の強度に関する第１の触質点パラメータとして特定するとともに、センテンス内の文節数を上記分割区間の長さに関する第２の触質点パラメータとして特定することにより、上記第１の触質点パラメータおよび上記第２の触質点パラメータの組み合わせを２組以上生成することを特徴とする請求項３に記載の触質コンテンツ生成装置。
【請求項１０】
上記触質点パラメータ生成部は、上記対象情報入力部により入力された上記１種の対象情報が、人の動きを表す一連の動作情報である場合、当該一連の動作情報を一動作毎に分割し、それぞれの動作から、当該動作による加圧力、速度、加速度または人体の到達高さに関する代表値を上記情報の強度に関する第１の触質点パラメータとして特定するとともに、一動作にかかる時間の長さを上記分割区間の長さに関する第２の触質点パラメータとして特定することにより、上記第１の触質点パラメータおよび上記第２の触質点パラメータの組み合わせを２組以上生成することを特徴とする請求項３に記載の触質コンテンツ生成装置。
【請求項１１】
上記触質点パラメータ生成部は、上記対象情報入力部により入力された上記１種の対象情報が動画情報である場合、当該動画情報をオプティカルフロー解析してフレーム画像間の変位量を演算することにより、時間の経過と共に上記変位量が変化する波形情報に変換し、当該波形情報を時間軸方向に複数に分割し、それぞれの分割区間から、分割区間内の代表強度を上記情報の強度に関する第１の触質点パラメータとして特定するとともに、上記分割区間の時間の長さを上記分割区間の長さに関する第２の触質点パラメータとして特定することにより、上記第１の触質点パラメータおよび上記第２の触質点パラメータの組み合わせを２組以上生成することを特徴とする請求項３に記載の触質コンテンツ生成装置。
【請求項１２】
上記触質コンテンツは、振動情報であることを特徴とする請求項１〜１１の何れか１項に記載の触質コンテンツ生成装置。
【請求項１３】
上記触質コンテンツは、アクチュエータの駆動情報であることを特徴とする請求項１〜１１の何れか１項に記載の触質コンテンツ生成装置。
【請求項１４】
上記触質コンテンツは、材質情報であることを特徴とする請求項１〜１１の何れか１項に記載の触質コンテンツ生成装置。
【請求項１５】
ｎ個（ｎ≧２）の触質パラメータにより特定される固有の触覚効果を持った触質コンテンツを、上記ｎ個の触質パラメータの組み合わせに対応付けて記憶する触質コンテンツ記憶部を備えたコンピュータにおいて、触質コンテンツを生成するための方法であって、
上記コンピュータの対象情報入力部が、触質変換対象の情報を入力する第１のステップと、
上記コンピュータの触質点パラメータ生成部が、上記対象情報入力部により入力された対象情報から、上記それぞれが触感の一要素を表したｎ個の触質点パラメータの組み合わせを２組以上生成する第２のステップと、
上記コンピュータの触質パラメータ生成部が、上記触質点パラメータ生成部により生成された２組以上の触質点パラメータについて、２つの組間で上記触質点パラメータの差分値をそれぞれ計算することにより、上記ｎ個の触質パラメータの組み合わせを１組以上生成する第３のステップと、
上記コンピュータの触質コンテンツ抽出部が、上記触質パラメータ生成部により生成された上記ｎ個の触質パラメータの組み合わせを１組以上指定して、当該指定した１組以上の組み合わせに対応する１以上の触質コンテンツを上記触質コンテンツ記憶部から抽出する第４のステップとを有することを特徴とする触質コンテンツ生成方法。
【請求項１６】
振動を媒体として所与の機能を発揮する機器であって、
請求項１２に記載の触質コンテンツ生成装置を備え、
上記触質コンテンツ記憶部から抽出した上記触質コンテンツである振動情報を上記振動の駆動源として利用することを特徴とする触質コンテンツ利用機器。
【請求項１７】
アクチュエータによる部材の動きを媒体として所与の機能を発揮する機器であって、
請求項１３に記載の触質コンテンツ生成装置を備え、
上記触質コンテンツ記憶部から抽出した上記触質コンテンツである駆動情報を上記アクチュエータの駆動源として利用することを特徴とする触質コンテンツ利用機器。
【請求項１８】
振動を媒体として所与の機能を発揮する機器であって、
請求項１〜１１の何れか１項に記載の触質コンテンツ生成装置により生成された上記触質コンテンツを記憶したリムーバル記憶媒体または外部機器と接続され、
上記リムーバル記憶媒体または上記外部機器より取得される上記触質コンテンツを上記振動の駆動源として利用することを特徴とする触質コンテンツ利用機器。
【手続補正２】
【補正対象書類名】明細書
【補正対象項目名】発明の名称
【補正方法】変更
【補正の内容】
【発明の名称】触質コンテンツ生成装置、触質コンテンツ生成方法および触質コンテンツ利用機器
【手続補正３】
【補正対象書類名】明細書
【補正対象項目名】０００１
【補正方法】変更
【補正の内容】
【０００１】
本発明は、触質コンテンツ生成装置、触質コンテンツ生成方法および触質コンテンツ利用機器に関し、特に、所与の触覚効果を与える触質コンテンツを生成する装置および方法、並びに当該触質コンテンツを利用した機器に関するものである。